(57)【要約】【課題】電子透かし形態の情報を、印刷に使用したドロップアウトカラーインキを読み取り可能な撮像手段で読み取ることができた場合で、かつ、通常のスキャナでは読み取ることができなかった場合に、真正な印刷物として判別する、真偽の判別を容易かつ確実になし得る電子透かし情報を利用した偽造防止用印刷物を提供する。【解決手段】偽造防止用印刷物である入構許可証１は、カード基材２の一面に、表題３、発行番号４、所持者名５、有効期限６、発行者表示７、発行者印影８、企業のシンボルマーク９を印刷してなり、電子透かし形態の情報として、発行番号４を使用し、これをドロップアウトカラーインキで印刷して発行者印影８に埋め込んだものである。【選択図】        図１
2004174903.tif 000002
【特許請求の範囲】
【請求項１】
真偽判別用の情報をドロップアウトカラーインキで印刷してなる電子透かし形態の情報として設けたことを特徴とする電子透かしを利用した偽造防止用印刷物。
【発明の詳細な説明】
【０００１】
【発明の属する技術分野】
本発明は、身分証明書、入館許可証、通行許可証など各種の証明を行うためのＩＤカードや、商品券、株券などの有価証券類、あるいは、保険証書、領収証などの証書類をはじめとする印刷物に関し、特に、電子透かしを利用した偽造防止用印刷物に関する。
【０００２】
【従来の技術】
従来から、背景に電子透かし形態の情報を埋め込んでおき、肉眼では印刷物の背景と一様に認識されて識別不可能であるが、スキャナで画像としてコンピュータに読み込んだ後、画像処理を行うことによって前記電子透かし形態の情報を取り出すことにより、真偽判別を行うことは知られている（例えば、特許文献１，２参照）。
【０００３】
【特許文献１】
特開２００１−１３８６７３号公報（第４−５頁）
【特許文献２】
特開２００１−１５７０２２号公報（第４−７頁）
【０００４】
【発明が解決しようとする課題】
従来の電子透かしを利用した偽造防止用印刷物でも、真偽の判別は可能であるが、電子技術の向上による偽造に対応するために、より確実な真偽の判別が望まれている。本発明は、このような要望に応えるために開発されたもので、真偽判別の確実性をより一層向上させた電子透かしを利用した偽造防止用印刷物を提供することを目的とする。
【０００５】
【課題を解決するための手段】
この目的を達成するために、本願発明の請求項１に係る電子透かしを利用した偽造防止用印刷物は、真偽判別用の電子透かし形態の情報をドロップアウトカラーインキで印刷してなるものである。
【０００６】
【発明の実施の形態】
以下、本発明を入構許可証に適用した場合の好適な実施の形態を添付図面に基づいて詳細に説明する。ここにおいて、図１は入構許可証の平面図、図２は入構許可証の作成手順を示す説明図、図３は入構許可証の真偽の判別手順を示す説明図である。
【０００７】
図１に示すように、偽造防止用印刷物である入構許可証１は、企業の研究施設への入構を認めるもので、カード状に構成されている。カード基材２の一面には、表題３、発行番号４、許可対象者である所持者名５、有効期限６、研究施設の責任者である発行者表示７、発行者印影８、企業のシンボルマーク９を印刷してある。真偽判別用の電子透かし形態の情報は、前記発行番号４を使用し、これをドロップアウトカラーインキで印刷して前記発行者印影８に埋め込んでいる。そして、この真偽判別用の電子透かし形態の情報は、肉眼では識別不可能である。
【０００８】
続いて、図２に基づいて上述した入構許可証１の作成手順を説明する。なお、図２における矢印は、データの流れを示している。入構許可証１の作成は、電子透かし画像データ生成手段１０と、印刷データ生成手段１１と、印刷手段１２とによってなされる。これらの各手段１０，１１，１２は、コンピュータ、ワークステーションをはじめとする、公知のデータ処理システムのソフトウェア及びハードウェアによって構成できる。
【０００９】
透かし画像データ生成手段１０は、電子透かし形態にする情報である発行番号４と、この発行番号４を埋め込む画像である発行者印影８とを入力し、電子透かし形態の情報を有する電子透かし画像データとして、発行番号４を埋め込んだ発行者印影８のデータを生成するものである。
【００１０】
印刷出力データ生成手段１１は、電子透かし画像データ生成手段１０が生成した電子透かし画像データと、この電子透かし画像データ以外のカード基材２に印刷する一般印刷データ、すなわち、表題３、所持者名５、有効期限６、発行者表示７、シンボルマーク９とを編集して、前記カード基材２に印刷出力する形態の印刷出力データを生成する。このように、印刷出力データ生成手段１１は、カード基材２に印刷する素材である各種データを編集し、加工する編集システムである。
【００１１】
印刷手段１２は、印刷データ生成手段１１が生成した印刷データを入力してカード基材２に印刷出力を行うものであり、公知のプリンタから適宜なものを選択して用いることができるが、電子透かし形態の情報は、通常の白色光によるスキャナの読み取りでは読み取ることができず、色に応じた単色光による読み取りによって読み取り可能となる、ドロップアウトカラーインキで印刷するものであり、その他のデータは通常の印刷インキで印刷する。そして、このカード基材２に対する印刷によって入構許可証１が作成され、電子透かし形態の情報は発行者印影８に埋め込まれているので、電子透かし情報の存在そのもののが視認困難なうえに、さらに発行者印影８によってより視認困難な状態となる。
【００１２】
次に、上述のように構成した入構許可証１における真偽判別手順を、図３に基づいて説明する。なお、図３における矢印はデータの流れを示している。まず、スキャナ２０によって入構許可証１の発行番号４を埋め込んだ発行者印影８を読み取る。読み取った画像データは、画像情報読取手段２１に入力し、この画像情報読取手段２１で画像情報を生成する。この時、前記スキャナ２０では、ドロップアウトカラーインキで印刷した電子透かし形態の発行番号４は読みとれないので、前記生成した画像情報には、電子透かし形態の発行番号４は存在しない。
【００１３】
画像情報は、画像情報読取手段２１から電子透かし発行番号抽出手段２２に入力し、電子透かし形態の発行番号４の抽出を行うが、正規の入構許可証１であれば、この抽出は不可能となる。したがって、前記電子透かし発行番号抽出手段２２で抽出された電子透かし形態の発行番号４が真偽判別手段２３に入力した場合には、前記発行番号４が通常の印刷インキで印刷されていることになるので、真偽判別手段２３は、この入構許可証１は偽造という判定を出力し、前記電子透かし形態の発行番号４が入力しなかった場合には、真偽判別手段２３は、この入構許可証１は真正という仮判定を出力する。
【００１４】
入構許可証１が真正と仮判定された場合には、さらに、ドロップアウトカラーインキ印刷撮像手段２４によって入構許可証１の発行番号４を埋め込んだ発行者印影８を読み取る。なお、このドロップアウトカラーインキ印刷撮像手段２４による読み取りと、上述のスキャナ２０による読み取りは、その順序を逆にして行ってもよい。このドロップアウトカラーインキ印刷撮像手段２４は、使用したドロップアウトカラーインキの色に合わせた単色光による読み取りを行うスキャナを用いればよいものである。読み取った画像データは、上述と同様に、画像情報読取手段２１に入力し、この画像情報読取手段２１で画像情報を生成する。この時、前記ドロップアウトカラーインキ印刷撮像手段２４では、ドロップアウトカラーインキで印刷した電子透かし形態の発行番号４を読み取り可能であるから、前記生成した画像情報には、電子透かし形態の発行番号４が存在している。
【００１５】
画像情報は、画像情報読取手段２１から電子透かし発行番号抽出手段２２に入力し、電子透かし形態の発行番号４の抽出を行うが、正規の入構許可証１であれば、この抽出が可能である。したがって、前記電子透かし発行番号抽出手段２２で抽出された電子透かし形態の発行番号４が真偽判別手段２３に入力し、これが別途入力した発行番号４と一致した場合には、真偽判別手段２３は、この入構許可証１は真正という最終判定を出力し、前記電子透かし形態の発行番号４が入力しなかったり、別途入力した発行番号４と不一致の場合には、真偽判別手段２３は、この入構許可証１は偽造という判定を出力する。
【００１６】
なお、本発明は、上述の実施形態に限定されるものではなく、例えば、電子透かし形態の情報は発行番号４に限らず、所持者名５をコード化したものでもよい。また、電子透かし形態の情報を、発行者印影８ではなくシンボルマーク９に埋め込んでもよい。さらに、本発明を入構許可証１以外の印刷物に適用可能なことはいうまでもない。
【００１７】
【発明の効果】
以上のように、本発明の請求項１に係る電子透かし情報を利用した偽造防止用印刷物によれば、電子透かし形態の情報を、印刷に使用したドロップアウトカラーインキを読み取り可能な撮像手段で読み取ることができた場合で、かつ、通常のスキャナでは読み取ることができなかった場合に、真正な印刷物として判別するので、真偽の判別を容易かつ確実にすることができ、偽造防止に貢献できるという効果を奏する。
【図面の簡単な説明】
【図１】入構許可証の平面図。
【図２】入構許可証の作成手順を示す説明図。
【図３】入構許可証の真偽の判別手順を示す説明図。
【符号の説明】
１      入構許可証
２      カード基材
３      表題
４      発行番号
５      所持者名
６      有効期限
７      発行者表示
８      発行者印影
【図１】
2004174903.tif 000003
【図２】
2004174903.tif 000004
【図３】
2004174903.tif 000005